(57)【要約】【課題】関連するタイマとカウンタを適切に制御するＭＭバックオフを処理する装置及び方法を提供する。【解決手段】移動通信デバイスによって移動管理（ＭＭ）バックオフ動作を処理する方法であって、ＭＭ手順用の要求メッセージをサービスネットワークに送信するステップ、前記サービスネットワークからの前記要求メッセージに応じてＭＭバックオフタイマを有する拒否メッセージを受信するステップ、及び前記ＭＭバックオフタイマを有する前記拒否メッセージに応じて前記ＭＭ手順用の試行カウンタをリセットするステップを含む方法。【選択図】図３
2014027694.tif 000002
【特許請求の範囲】
【請求項１】
移動通信デバイスによって移動管理（ＭＭ）バックオフ動作を処理する方法であって、
ＭＭ手順用の要求メッセージをサービスネットワークに送信するステップ、
前記サービスネットワークからの前記要求メッセージに対応してＭＭバックオフタイマを有する拒否メッセージを受信するステップ、及び
公衆移動通信ネットワーク（ＰＬＭＮ）選択手順を初期化し、前記ＭＭバックオフタイマを有する前記拒否メッセージに応じてもう１つのサービスネットワークを探索するステップを含む方法。
【請求項２】
前記ＭＭ手順は、アタッチ手順であり、前記要求メッセージ及び前記拒否メッセージは、それぞれＡＴＴＡＣＨ  ＲＥＱＵＥＳＴメッセージ及びＡＴＴＡＣＨ  ＲＥＪＥＣＴメッセージである請求項１の方法。
【請求項３】
前記ＭＭ手順は、トラッキングエリア更新手順であり、前記要求メッセージ及び前記拒否メッセージは、それぞれＴＲＡＣＫＩＮＧ  ＡＲＥＡ  ＵＰＤＡＴＥ  ＲＥＱＵＥＳＴメッセージ及びＴＲＡＣＫＩＮＧ  ＡＲＥＡ  ＵＰＤＡＴＥ  ＲＥＪＥＣＴメッセージである請求項１に記載の方法。
【請求項４】
前記ＭＭ手順用のもう１つの要求メッセージを前記探索されたサービスネットワークに送信するステップを更に含む請求項１に記載の方法。
【請求項５】
前記探索されたサービスネットワークは、前記移動通信デバイスで動作する関連のＭＭバックオフタイマを有さない請求項４に記載の方法。
【請求項６】
前記ＰＬＭＮ選択手順を初期化する前、またはＭＭ手順用のもう１つの要求メッセージを前記探索されたサービスネットワークに送信する前に、ランダムな期間待機するステップを更に含む請求項１に記載の方法。
【請求項７】
ＭＭ手順用のもう１つの要求メッセージ複数の探索されたサービスネットワークの１つに伝送するステップを更に含み、前記探索されたサービスネットワークの全ては、前記移動通信デバイスで動作する関連のＭＭバックオフタイマを有し、前記探索されたサービスネットワークの１つは、タイマが切れる最短の残りの時間で動作する関連のＭＭバックオフタイマを有する請求項１に記載の方法。
【発明の詳細な説明】
【技術分野】
【０００１】
本発明は、移動管理（ＭＭ）バックオフ（ｂａｃｋ−ｏｆｆｓ）に関し、特に、関連するタイマとカウンタを適切に制御するＭＭバックオフを処理する装置及び方法に関するものである。
【背景技術】
【０００２】
一般的な移動通信環境において、ユーザー端末（ＵＥ）は、携帯電話（ｍｏｂｉｌｅ  ｔｅｌｅｐｈｏｎｅ）（別名ｃｅｌｌｕｌａｒまたはｃｅｌｌ  ｐｈｏｎｅ）、無線通信機能を備えたラップトップコンピュータ、またはパーソナルデジタルアシスタント（ＰＤＡ）などを含み、音声及び／またはデータ信号を１つ以上のサービスネットワークと通信させ得る。ユーザー端末とサービスネットワーク間の無線通信は、例えば、グローバルシステムフォーモバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎｓ；ＧＳＭ（登録商標））技術、汎用パケット無線サービス（Ｇｅｎｅｒａｌ Ｐａｃｋｅｔ  Ｒａｄｉｏ  Ｓｅｒｖｉｃｅ；ＧＰＲＳ）技術、グローバル進化型高速データレート（Ｅｎｈａｎｃｅｄ  Ｄａｔａ  ｒａｔｅｓ  ｆｏｒ  Ｇｌｏｂａｌ  Ｅｖｏｌｕｔｉｏｎ；ＥＤＧＥ）技術、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ；ＷＣＤＭＡ（登録商標））技術、符号分割多元接続２０００（Ｃｏｄｅ  Ｄｉｖｉｓｉｏｎ  Ｍｕｌｔｉｐｌｅ  Ａｃｃｅｓｓ  ２０００；ＣＤＭＡ  ２０００）技術、時分割同期符号多元接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ；ＴＤ−ＳＣＤＭＡ）技術、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ；ＷｉＭＡＸ）技術、及びロングタームエボリューション（Ｌｏｎｇ  Ｔｅｒｍ  Ｅｖｏｌｕｔｉｏｎ；ＬＴＥ）技術、ＬＴＥ−Ａｄｖａｎｃｅｄ技術など種々の無線アクセス技術に基づくことができる。
【０００３】
３ＧＰＰ仕様ＴＳ２３．４０１ｖ．１０．２．０（以下仕様ＴＳ２３．４０１と称される）、及び３ＧＰＰ仕様ＴＳ２４．３０１ｖ．１０．１．０（以下仕様ＴＳ２４．３０１と称される）、に準拠したＬＴＥ技術を例にとる。図１に表されるように、アタッチ手順では、ユーザー端末がアタッチ要求（ＡＴＴＡＣＨ  ＲＥＱＵＥＳＴ）メッセージをＬＴＥネットワークに送信することによって開始する（ステップＳ１０１）。アタッチ要求メッセージを受信した時、ＬＴＥネットワークは、ユーザー端末を認証し、ユーザー端末がパケットデータサービスへのアクセス権を付与されるかどうかを見る。認証が失敗した時、ＬＴＥネットワークは、アタッチ拒否メッセージをユーザー端末に返信することでアタッチ要求を拒否する（ステップＳ１０２）。アタッチ拒否メッセージに応じて、ユーザー端末は、タイマＴ３４１１を起動し、次いでタイマＴ３４１１が切れた時、アタッチ要求メッセージをＬＴＥネットワークに再送信する（ステップＳ１０３）。ユーザー端末は、アタッチ試行（ａｔｔｅｍｐｔ）カウンタを更に保持（ｍａｉｎｔａｉｎ）し、後続の拒否アタッチ試行の回数を蓄積する。アタッチ試行（ａｔｔｅｍｐｔ）カウンタは、後続の拒否アタッチ試行の回数を制限するのに用いられる。再送信されたアタッチ要求メッセージは、再度拒否され（ステップＳ１０４）、再試行（ｒｅｔｒｙ）プロセスは、アタッチ試行カウンタが５になるまで繰り返される（ステップＳ１０５〜Ｓ１１０）。５回目のアタッチ試行が失敗した後、ユーザー端末はタイマＴ３４０２を起動し、後続の再試行の試みを遅延する。即ち、ユーザー端末は、タイマＴ３４０２が切れた時のみ、アタッチ手順を初期化することができる。タイマＴ３４１１とＴ３４０２によって、アタッチ手順の再試行の試みの頻繁な処理は、ＬＴＥネットワークに対して避けられることができるため、ＬＴＥネットワークのシステムリソースは、他のタスクに使用可能であることができる。同様に、図２に表されるように、タイマＴ３４１１とＴ３４０２は、トラッキングエリア更新（ＴＡＵ）手順にも用いられることができ、ＴＡＵ手順の再試行の試みを制御する。アタッチ試行カウンタの数値によって、特定の実行（ａｃｔｉｏｎ）が行われる。
【０００４】
アタッチ手順またはＴＡＵ手順中、アタッチ要求またはＴＡＵ要求は、ＬＴＥネットワークの非アクセス層（Ｎｏｎ−Ａｃｃｅｓｓ  Ｓｔｒａｔｕｍ：  ＮＡＳ）レベルの輻輳制御を実行するために拒否されることがあり得る。  この場合、アタッチ拒否メッセージまたはトラッキングエリア更新拒否メッセージは、ＭＭバックオフタイマを含んでユーザー端末のアタッチメント再試行を制限する。具体的に言えば、ユーザー端末は、ＭＭバックオフタイマが切れるまで、アタッチ手順、ＴＡＵ手順、及びサービス要求手順を含む、どのＭＭ手順も初期化できない。しかしながら、移動管理（ＭＭ）バックオフタイマを有する拒否メッセージの受信に応じてタイマＴ３４１１とＴ３４０２、及びアタッチ及びＴＡＵ試行カウンタを処理するユーザー端末の挙動は、確定できず、ユーザー端末及び／またはＬＴＥネットワークに対して問題を生じる可能性がある。
【発明の概要】
【発明が解決しようとする課題】
【０００５】
関連するタイマとカウンタを適切に制御するＭＭバックオフを処理する装置及び方法を提供する。
【課題を解決するための手段】
【０００６】
本発明の１つの態様では、移動通信デバイスによってＭＭバックオフ動作を処理する方法が提供される。前記方法は、移動通信デバイスは、ＭＭ手順用の要求メッセージをサービスネットワークに送信するステップ、サービスネットワークからの要求メッセージに応じてＭＭバックオフタイマを有する拒否メッセージを受信するステップ、及びＭＭバックオフタイマを有する拒否メッセージに応じてＭＭ手順用の試行カウンタをリセットするステップを含む。
【０００７】
本発明の１つの態様では、移動通信デバイスによってＭＭバックオフ動作を処理する方法が提供される。前記方法は、移動通信デバイスは、ＭＭ手順用の要求メッセージをサービスネットワークに送信するステップ、サービスネットワークからの要求メッセージに応じてＭＭバックオフタイマを有する拒否メッセージを受信するステップ、及び公衆移動通信ネットワーク（ＰＬＭＮ）選択手順を初期化し、ＭＭバックオフタイマを有する拒否メッセージに応じてもう１つのサービスネットワークを探索するステップを含む。
【０００８】
本発明の他の態様及び特徴は、ＭＭバックオフを処理する装置と方法の特定の実施の形態の以下の説明を検討後は当業者により明白となるであろう。
【図面の簡単な説明】
【０００９】
本発明は、添付の図面と併せて後に続く詳細な説明と実施例を解釈することによって、より完全に理解されることができる。
【図１】試行カウンタと再試行バックオフタイマを用いたアタッチ手順の再試行メカニズムを示すブロック図である。
【図２】試行カウンタと再試行バックオフタイマを用いたＴＡＵ手順の再試行メカニズムを示すブロック図である。
【図３】本発明の実施形態に基づく移動通信環境を示すブロック図である。
【図４】本発明の実施形態に基づくアタッチ手順中のＭＭバックオフ動作を示すメッセージシーケンス図である。
【図５】本発明の実施形態に基づくＴＡＵ手順中のＭＭバックオフ動作を示すメッセージシーケンス図である。
【図６】本発明のもう１つの実施形態に基づくアタッチ手順中のＭＭバックオフ動作を示すメッセージシーケンス図である。
【図７】本発明のもう１つの実施形態に基づくＴＡＵ手順中のＭＭバックオフ動作を示すメッセージシーケンス図である。
【図８】本発明の実施形態に基づく移動通信デバイスによってＭＭバックオフ動作を処理する方法を示す流れ図である。
【図９】本発明のもう１つの実施形態に基づく移動通信デバイスによってＭＭバックオフ動作を処理する方法を示す流れ図である。
【発明を実施するための形態】
【００１０】
以下の説明は、本発明を実施するベストモードが開示されている。この説明は、本発明の一般原理を例示する目的のためのもので本発明を限定するものではない。３ＧＰＰ仕様書は、本発明の精神を教示するために用いられるものであり、本発明はこれを限定するものではない。
【００１１】
図３は、本発明の実施形態に基づく移動通信環境を示すブロック図である。移動通信環境３００では、移動通信デバイス３１０は、無線サービスを得るようにサービスネットワーク３２０に無線接続される。サービスネットワーク３２０は、アクセスネットワーク（または無線アクセスネットワークとも呼ばれる）３２１及びコアネットワーク３２２を含む。サービスネットワーク３２０は、グローバルシステムフォーモバイルコミュニケーション（ＧＳＭ（登録商標））、ユニバーサルモバイルテレコミュニケーションシステム（ＵＭＴＳ）、または進化型パケットシステム（ＥＰＳ）技術に準拠したネットワークであり得る。アクセスネットワーク３２１は、ＧＳＭ（登録商標）技術のＧＳＭ（登録商標）エッジ（Ｅｄｇｅ）無線アクセスネットワーク（ＧＥＲＡＮ）、ＷＣＤＭＡ（登録商標）／ＨＳＰＡ技術のＵＭＴＳ地上波無線アクセスネットワーク（ＵＴＲＡＮ）、またはＬＴＥ／ＬＴＥ−Ａｄｖａｎｃｅｄ技術の進化型ＵＴＲＡＮであることができ、コアネットワーク３２２は、ＧＳＭ（登録商標）／ＵＭＴＳシステムのＧＳＭ（登録商標）コアまたは汎用パケット無線サービス（ＧＰＲＳ）コア、またはＥＰＳシステムの進化型パケットシステム（ＥＰＳ）であることができる。移動通信デバイス３１０は、サービスネットワーク３２０間の無線送受信の機能を実行する無線モジュール３１１、及び無線モジュール３１１と例えば、ＭＭＩ（マンマシーン  インターフェース）となるディスプレイユニット及び／またはキーパッドなどの他の機能部品の動作を制御する制御モジュール３１２、アプリケーションまたは通信プロトコルなどを保存する記憶装置を制御する制御モジュール３１２を含む。表示されてはいないが、加入者識別カードが制御モジュール３１２に接続されるように提供されてもよく、国際移動電話加入者識別番号（ＩＭＳＩ）、サービスネットワークとの識別と認証に用いられるセキュリティキー、及び例えば等価ＰＬＭＮリスト及び禁止ＰＬＭＮリストなどのサービスネットワークとの通信中に得られる他の動作関連のデータを保存する。加入者識別カードは、加入者識別（ＳＩＭ）カードまたはＵｎｉｖｅｒｓａｌ  ＳＩＭ（ＵＳＩＭ）カードであり得る。
【００１２】
下記の実施形態では、サービスネットワーク３２０は、特定のＰＬＭＮに属すＧＳＭ（登録商標）／ＵＭＴＳ／ＥＰＳネットワークであることができ、移動通信デバイス３１０は、移動局（ＭＳ）またはユーザー端末（ＵＥ）であることができる。ＵＭＴＳ／ＥＰＳネットワークは、３ＧＰＰ仕様ＴＳ２４．３０／ＴＳ２３．４０１、３ＧＰＰ仕様ＴＳ２４．００８／ＴＳ２４．３０１、３ＧＰＰ仕様ＴＳ２３．１２２及び／または他の関連のＵＭＴＳ／ＥＰＳ仕様に準拠する。用いられる技術に基づき、移動管理（ＭＭ）動作のメッセージは、例えばロケーションエリア更新用のＭＭメッセージ、ルーティンエリア更新用のＧＭＭメッセージ、及びトラッキングエリア更新用のＥＰＳ移動管理（ＥＭＭ）メッセージなど、ＧＳＭ（登録商標）／ＵＭＴＳ／ＥＰＳ技術にそれぞれ対応する。また、ＴＡＵ／ＲＡＵ手順は、複合ＴＡ／ＬＡまたは複合ＲＡ／ＬＡ手順であることができ、ＴＡＵ／ＲＡＵ  ＲＥＱＵＥＳＴメッセージは、移動通信デバイス３１０がパケット交換ドメイン及び回線交換（ＣＳ）ドメインに対してＴＡ／ＲＡ及びＬＡ更新を実行したいことをそれぞれ示している。アタッチ手順は、ＧＳＭ（登録商標）／ＵＭＴＳシステムの回線交換ドメインサービス、またはＵＭＴＳ／ＥＰＳシステムのパケット交換ドメインサービスに対して実行され得る。また、アタッチ手順は、複合アタッチ手順であることができ、ＡＴＴＡＣＨ  ＲＥＱＵＥＳＴメッセージは、移動通信デバイス３１０が移動通信サービスのサービスネットワーク３２０とパケットデータセッション及び回線交換（ＣＳ）ドメインサービスを開始したいことを示している。
【００１３】
以下の実施形態では、制御モジュール３１２は、無線モジュール３１１を制御し、アタッチ手順及びＴＡＵ手順をサービスネットワーク３２０で実行する。図４は、本発明の実施形態に基づくアタッチ手順中のＭＭバックオフ動作を示すメッセージシーケンス図である。この実施形態では、サービスネットワーク３２０は、ＬＴＥ／ＬＴＥ−Ａｄｖａｎｃｅｄアクセスネットワークを含むＥＰＳシステムであることができ、ＥＰＣコアネットワーク及び移動通信デバイス３１０は、仕様ＴＳ２３．４０１とＴＳ２４．３０１及び／またはＬＴＥ／ＬＴＥ−Ａｄｖａｎｃｅｄ技術の他の関連の仕様に準拠するユーザー端末であることができる。アタッチ手順を開始するには、制御モジュール３１２は、ＡＴＴＡＣＨ  ＲＥＱＵＥＳＴメッセージを無線モジュールによってサービスネットワーク３２０に送信する（ステップＳ４１０）。ＡＴＴＡＣＨ  ＲＥＱＵＥＳＴメッセージは、移動通信デバイス３１０に関連する登録情報を含むことができる。具体的に言えば、ＡＴＴＡＣＨ  ＲＥＱＵＥＳＴメッセージは、移動通信デバイス３１０が移動通信デバイスのサービスネットワーク３２０とパケットデータセッションを開始したいことを示している。ＡＴＴＡＣＨ  ＲＥＱＵＥＳＴメッセージを受信した時、ＮＡＳレベルの輻輳制御が輻輳が発生したコアネットワーク３２２に実行されるため、コアネットワーク３２２は、アタッチ要求を拒否することを決定し、次いで、ＥＭＭ原因値（ｃａｕｓｅ  ｖａｌｕｅ）及びＭＭバックオフタイマを含むＡＴＴＡＣＨ  ＲＥＪＥＣＴメッセージを移動通信デバイス３１０に返信する（ステップＳ４２０）。制御モジュール３１２は、後続の拒否されたアタッチ試行の回数を蓄積するアタッチ試行カウンタを更に保持し、アタッチ試行カウンタは、失敗したアタッチ試行ごとに１ずつ増やされる。無線モジュール３１１によってＡＴＴＡＣＨ  ＲＥＪＥＣＴメッセージを受信することに応じて、制御モジュール３１２は、アタッチ試行カウンタをリセットする（ステップＳ４３０）。１つの実施形態では、ＡＴＴＡＣＨ  ＲＥＪＥＣＴメッセージがアタッチ手順の第１ＡＴＴＡＣＨ  ＲＥＱＵＥＳＴメッセージに応じた場合、アタッチ試行カウンタの値は、リセットされる前、１と等しくすることができる。ステップＳ４３０の後、制御モジュール３１２は、ＭＭバックオフタイマを起動し（ステップＳ４４０）、ＭＭバックオフタイマが切れるまで、どのＭＭ手順も初期化しない。注意するのは、制御モジュール３１２は、ＭＭバックオフタイマを含むＡＴＴＡＣＨ  ＲＥＪＥＣＴメッセージに応じて、タイマＴ３４１１またはＴ３４０２を起動しないため、タイマＴ３４１１及びＴ３４０２の処理は、ＭＭバックオフタイマの処理に影響せず、ＭＭバックオフ動作を処理する移動通信デバイス３１０の確定できない挙動の問題が解決される。
【００１４】
注意するのは、他の実施形態では、サービスネットワーク３２０は、例えば、ＧＥＲＡＮ／ＵＴＲＡＮアクセスネットワーク及びＧＳＭ（登録商標）／ＧＰＲＳ  コアネットワークなどのレガシーシステムを含むことができる。図４のアタッチ手順は、ＧＳＭ（登録商標）／ＵＭＴＳシステムの回線交換サービスに対するアタッチ手順、ＧＳＭ（登録商標）／ＵＭＴＳ／ＥＰＳシステムのパケット交換サービスに対するアタッチ手順でもよく、またはＡＴＴＡＣＨ  ＲＥＱＵＥＳＴメッセージが移動通信デバイス３１０が移動通信サービスのサービスネットワーク３２０とパケットデータセッション及び回線交換（ＣＳ）ドメインサービスを開始したいことを示す複合アタッチ手順でもよい。
【００１５】
図５は、本発明の実施形態に基づくＴＡＵ手順中のＭＭバックオフ動作を示すメッセージシーケンス図である。トラッキングエリア（ＴＡ）は、セルグループ（またはＮｏｄｅＢ、ｅＮＢｓ）のカバレッジによって形成される。移動通信デバイス３１０が１つのＴＡからもう１つのＴＡに移動した時、ＴＡＵ手順によってサービスネットワーク３２０にその新しいＴＡについて通知しなければならない。あるいは、移動通信デバイス３１０が不動でも、アイドルモードにあるとき、ＴＡＵ手順によってそのＴＡを定期的に報告する必要がある。ＴＡＵ手順を開始するには、制御モジュール３１２は、無線モジュール３１１によってＴＲＡＣＫＩＮＧ  ＡＲＥＡ  ＵＰＤＡＴＥ  ＲＥＱＵＥＳＴメッセージをサービスネットワーク３２０に送信する（ステップＳ５１０）。ＴＲＡＣＫＩＮＧ  ＡＲＥＡ  ＵＰＤＡＴＥ  ＲＥＱＵＥＳＴメッセージは、移動通信デバイス３１０が現在所在するＴＡに関する情報を含むことができる。ＴＲＡＣＫＩＮＧ  ＡＲＥＡ  ＵＰＤＡＴＥ  ＲＥＱＵＥＳＴメッセージを受信した時、ＮＡＳレベルの輻輳制御が輻輳が発生したコアネットワーク３２２に実行されるため、コアネットワーク３２２は、アタッチ要求を拒否することを決定し、次いで、ＥＭＭ原因値（ｃａｕｓｅ  ｖａｌｕｅ）及びＭＭバックオフタイマを含むＴＲＡＣＫＩＮＧ  ＡＲＥＡ  ＵＰＤＡＴＥ  ＲＥＪＥＣＴメッセージを移動通信デバイス３１０に返信する（ステップＳ５２０）。制御モジュール３１２は、後続の拒否されたＴＡＵアタッチ試行の回数を蓄積するＴＡＵ試行カウンタを更に保持し、ＴＡＵ試行カウンタは、失敗したＴＡＵ試行ごとに１ずつ増やされる。無線モジュール３１１によってＴＲＡＣＫＩＮＧ  ＡＲＥＡ  ＵＰＤＡＴＥ  ＲＥＪＥＣＴメッセージを受信することに応じて、制御モジュール３１２は、ＴＡＵ試行カウンタをリセットする（ステップＳ５３０）。１つの実施形態では、ＴＲＡＣＫＩＮＧ  ＡＲＥＡ  ＵＰＤＡＴＥ  ＲＥＪＥＣＴメッセージがＴＡＵ手順の第１ＴＲＡＣＫＩＮＧ  ＡＲＥＡ  ＵＰＤＡＴＥ  ＲＥＪＥＣＴメッセージに応じた場合、ＴＡＵ試行カウンタの値は、リセットされる前、１と等しくすることができる。ステップＳ５３０の後、制御モジュール３１２は、ＭＭバックオフタイマを起動し（ステップＳ５４０）、ＭＭバックオフタイマが切れるまで、どのＭＭ手順も初期化しない。
【００１６】
注意するのは、他の実施形態では、図５のサービスネットワーク３２０は、例えば、ＧＥＲＡＮ／ＵＴＲＡＮアクセスネットワーク及びＧＳＭ（登録商標）／ＵＭＴＳシステムのＧＳＭ（登録商標）／ＧＰＲＳ  コアネットワークなどのレガシーシステムを含むことができる。ＬＡＵ手順は、回線交換ドメインに登録用に用いられ、ＬＯＣＡＴＩＯＮ  ＡＲＥＡ  ＵＰＤＡＴＥ  ＲＥＱＵＥＳＴメッセージが用いられ得る。ＲＡＵ手順は、パケット交換ドメインに登録用に用いられ、ＲＯＵＴＩＮＧ  ＡＲＥＡ  ＵＰＤＡＴＥ  ＲＥＱＵＥＳＴメッセージが用いられ得る。複合ＲＡ／ＬＡ更新手順は、サービスネットワークの基礎構造によって、パケット交換ドメイン及び回線交換ドメインにあるその位置に関するレガシーを通知するのに用いられ得るＲＯＵＴＩＮＧ  ＡＲＥＡ  ＵＰＤＡＴＥ  ＲＥＱＵＥＳＴメッセージに用いられ得る。
【００１７】
図６は、本発明のもう１つの実施形態に基づくアタッチ手順中のＭＭバックオフ動作を示すメッセージシーケンス図である。アタッチ手順を開始するには、制御モジュール３１２は、無線モジュール３１１によってＡＴＴＡＣＨ  ＲＥＱＵＥＳＴメッセージをサービスネットワーク３２０に送信する（ステップＳ６１０）。ＡＴＴＡＣＨ  ＲＥＱＵＥＳＴメッセージは、移動通信デバイス３１０が現在所在するＴＡに関する登録情報を含むことができる。具体的に言えば、ＡＴＴＡＣＨ  ＲＥＱＵＥＳＴメッセージは、移動通信デバイス３１０が移動通信サービスのサービスネットワーク３２０とパケットデータセッションを登録したいことを示している。ＡＴＴＡＣＨ  ＲＥＱＵＥＳＴメッセージを受信した時、ＮＡＳレベルの輻輳制御が輻輳が発生したコアネットワーク３２２に実行されるため、コアネットワーク３２２は、アタッチ要求を拒否することを決定し、次いで、ＥＭＭ原因値（ｃａｕｓｅ  ｖａｌｕｅ）及びＭＭバックオフタイマを含むＡＴＴＡＣＨ  ＲＥＪＥＣＴメッセージを移動通信デバイス３１０に返信する（ステップＳ６２０）。制御モジュール３１２は、後続の拒否されたアタッチ試行の回数を蓄積するアタッチ試行カウンタを更に保持し、アタッチ試行カウンタは、失敗したアタッチ試行ごとに１ずつ増やされる。無線モジュール３１１によってＡＴＴＡＣＨ  ＲＥＪＥＣＴメッセージを受信することに応じて、制御モジュール３１２は、ＭＭバックオフタイマを開始し（ステップＳ６３０）、ＭＭバックオフタイマが切れるまでどのＭＭ手順も初期化しない。次いで、サービスネットワーク３２０の輻輳の発生により無線サービスが一定期間そこから得られないことがあるために、制御モジュール３１２は、公衆移動通信ネットワーク（ＰＬＭＮ）選択手順を実行し、無線モジュール３１１を介してもう１つのサービスネットワークを探索する（図６のサービスネットワークＡで示される）（ステップＳ６４０）。１つの実施形態では、ステップＳ６４０の実行前、制御モジュール３１２は、ランダムな期間待機し、ＭＭバックオフタイマーで拒否されている大量のユーザー端末が同じサービスネットワークに入る問題を回避する。
【００１８】
１つの実施形態では、ステップＳ６４０のＰＬＭＮ選択手順は、近隣の利用可能なセルをスキャンするステップ、利用可能なセルからシステム情報の報知を収集するステップ、及び利用可能なセルの中から、サービスネットワーク３２０でないサービスネットワークに属する適切なセルを決定するステップを含む。他のサービスネットワークの適切なセルが見つかり、探索されたサービスネットワークが制御モジュール３１２で動作するＭＭバックオフタイマを有さない場合、移動通信デバイス３１０は、アタッチ手順をそのサービスネットワークで実行するように試みることができる。もう１つの実施形態では、全ての利用可能なサービスネットワークが関連の制御モジュール３１２で動作するＭＭバックオフタイマを有する場合、移動通信デバイス３１０は、アタッチ手順を実行するサービスネットワークを決めることができ、サービスネットワークは、タイマが切れる最短の残りの時間で動作する関連のＭＭバックオフタイマを有する。よって、移動通信デバイス３１０は、他のサービスネットワークに登録し、可能な限り早く無線サービスを得る。
【００１９】
注意するのは、図４及び図６の実施形態では、制御モジュール３１２は、ＭＭバックオフタイマを有するＡＴＴＡＣＨ  ＲＥＪＥＣＴメッセージに応じてタイマＴ３４１１またはＴ３４０２を起動しないため、タイマＴ３４１１またはＴ３４０２の処理は、ＭＭバックオフタイマの処理に影響せず、ＭＭバックオフ動作を処理する移動通信デバイス３１０の確定できない挙動の問題が解決される。
【００２０】
図７は、本発明のもう１つの実施形態に基づくＴＡＵ手順中のＭＭバックオフ動作を示すメッセージシーケンス図である。ＴＡＵ手順を開始するには、制御モジュール３１２は、無線モジュール３１１によってＴＲＡＣＫＩＮＧ  ＡＲＥＡ  ＵＰＤＡＴＥ  ＲＥＱＵＥＳＴメッセージをサービスネットワーク３２０に送信する（ステップＳ７１０）。ＴＲＡＣＫＩＮＧ  ＡＲＥＡ  ＵＰＤＡＴＥ  ＲＥＱＵＥＳＴメッセージは、移動通信デバイス３１０が現在所在するＴＡに関する情報を含むことができる。ＴＲＡＣＫＩＮＧ  ＡＲＥＡ  ＵＰＤＡＴＥ  ＲＥＱＵＥＳＴメッセージを受信した時、ＮＡＳレベルの輻輳制御が輻輳が発生したコアネットワーク３２２に実行されるため、コアネットワーク３２２のサービングネットワークノードは、アタッチ要求を拒否することを決定し、次いで、ＥＭＭ原因値（ｃａｕｓｅ  ｖａｌｕｅ）及びＭＭバックオフタイマを含むＴＲＡＣＫＩＮＧ  ＡＲＥＡ  ＵＰＤＡＴＥ  ＲＥＪＥＣＴメッセージを移動通信デバイス３１０に返信する（ステップＳ７２０）。制御モジュール３１２は、後続の拒否されたＴＡＵアタッチ試行の回数を蓄積するＴＡＵ試行カウンタを更に保持し、ＴＡＵ試行カウンタは、失敗したＴＡＵ試行ごとに１ずつ増やされる。無線モジュール３１１によってＴＲＡＣＫＩＮＧ  ＡＲＥＡ  ＵＰＤＡＴＥ  ＲＥＪＥＣＴメッセージを受信することに応じて、制御モジュール３１２は、ＭＭバックオフタイマを開始し（ステップＳ７３０）、ＭＭバックオフタイマが切れるまで、どのＭＭ手順も初期化しない。次いで、コアネットワーク３２２の輻輳の発生により無線サービスが一定期間そこから得られないことがあるために、制御モジュール３１２は、ＰＬＭＮ選択手順を実行し、無線モジュール３１１を介してもう１つのサービスネットワークを探索する（図７のサービスネットワークＡで示される）（ステップＳ７４０）。ステップＳ７４０のＰＬＭＮ選択手順は、ステップＳ７４０では、移動通信デバイス３１０がＡＴＴＡＣＨ手順でなくＴＡＵ手順である以外は、ステップＳ６４０のＰＬＭＮ選択手順と同様である。１つの実施形態では、ステップＳ７４０の実行前、制御モジュール３１２は、ランダムな期間待機し、ＭＭバックオフタイマーで拒否されている大量のユーザー端末が同じサービスネットワークに入る問題を回避する。
【００２１】
注意するのは、図５及び図７の実施形態では、制御モジュール３１２は、ＭＭバックオフタイマを有するＴＲＡＣＫＩＮＧ  ＡＲＥＡ  ＵＰＤＡＴＥ  ＲＥＪＥＣＴメッセージに応じてタイマＴ３４１１またはＴ３４０２を起動しないため、タイマＴ３４１１またはＴ３４０２の処理は、ＭＭバックオフタイマの処理に影響せず、ＭＭバックオフ動作を処理する移動通信デバイス３１０の確定できない挙動の問題が解決される。
【００２２】
図８は、本発明の実施形態に基づく移動通信デバイスによってＭＭバックオフ動作を処理する方法を示す流れ図である。この実施形態では、移動通信デバイスは、ＭＭ手順用の要求メッセージをサービスネットワークに送信し（ステップＳ８１０）、次いでサービスネットワークからの要求メッセージに応じてＭＭバックオフタイマを有する拒否メッセージを受信する（ステップＳ８２０）。１つの実施形態では、ＭＭ手順は、アタッチ手順であり、要求メッセージ及び拒否メッセージは、それぞれＡＴＴＡＣＨ  ＲＥＱＵＥＳＴメッセージ及びＡＴＴＡＣＨ  ＲＥＪＥＣＴメッセージである。もう１つの実施形態では、ＭＭ手順は、ＴＡＵ手順であり、要求メッセージ及び拒否メッセージは、それぞれＴＲＡＣＫＩＮＧ  ＡＲＥＡ  ＵＰＤＡＴＥ  ＲＥＱＵＥＳＴメッセージ及びＴＲＡＣＫＩＮＧ  ＡＲＥＡ  ＵＰＤＡＴＥ  ＲＥＪＥＣＴメッセージである。次いで、移動通信デバイスは、ＭＭバックオフタイマを有する拒否メッセージに応じてＭＭ手順用の試行カウンタをリセットする（ステップＳ８３０）。１つの実施形態では、移動通信デバイスは、ＭＭバックオフタイマを有する拒否メッセージに応じてＭＭバックオフタイマを更にスタートすることができ、ＭＭバックオフタイマが切れるまで、サービスネットワークとどのＭＭ手順も初期化しないことができる。注意するのは、移動通信デバイスは、ＭＭバックオフタイマを含む拒否メッセージに応じて、要求メッセージの再送信用の再試行バックオフタイマを起動しないため、再試行バックオフタイマ（タイマＴ３４１１及びＴ３４０２を含む）の処理は、ＭＭバックオフタイマの処理に影響せず、ＭＭバックオフ動作を処理する移動通信デバイスの確定できない挙動の問題が解決される。
【００２３】
図９は、本発明のもう１つの実施形態に基づく移動通信デバイスによってＭＭバックオフ動作を処理する方法を示す流れ図である。図８と同様に、移動通信デバイスは、無線サービスを得るサービスネットワークに無線接続され、移動通信デバイスは、ＭＭ手順用の要求メッセージをサービスネットワークに送信し（ステップＳ９１０）、サービスネットワークからの要求メッセージに応じてＭＭバックオフタイマを有する拒否メッセージを受信する（ステップＳ９２０）。１つの実施形態では、ＭＭ手順は、アタッチ手順であり、要求メッセージ及び拒否メッセージは、それぞれＡＴＴＡＣＨ  ＲＥＱＵＥＳＴメッセージ及びＡＴＴＡＣＨ  ＲＥＪＥＣＴメッセージである。もう１つの実施形態では、ＭＭ手順は、ＴＡＵ手順であり、要求メッセージ及び拒否メッセージは、それぞれＴＲＡＣＫＩＮＧ  ＡＲＥＡ  ＵＰＤＡＴＥ  ＲＥＱＵＥＳＴメッセージ及びＴＲＡＣＫＩＮＧ  ＡＲＥＡ  ＵＰＤＡＴＥ  ＲＥＪＥＣＴメッセージである。次いで、移動通信デバイスは、ＭＭバックオフタイマを有する拒否メッセージに応じてＰＬＭＮ選択手順を初期化し、もう１つのサービスネットワークを探索する（ステップＳ９３０）。１つの実施形態では、ステップＳ０３０の前、移動通信デバイスは、ランダムな期間待機し、ＭＭバックオフタイマーで拒否されている大量のユーザー端末が同じサービスネットワークに入る問題を回避する。注意するのは、１つの実施形態では、移動通信デバイスは、ＭＭバックオフタイマを有する拒否メッセージに応じてＭＭバックオフタイマを更にスタートすることができ、ＭＭバックオフタイマが切れるまで、サービスネットワークとどのＭＭ手順も初期化しないことができる。
【００２４】
この発明は、実施例の方法及び望ましい実施の形態によって記述されているが、これらを限定するものではないことは理解される。当業者は、本発明の精神と範囲から逸脱しない種々の修正及び変更を行い得る。よって、本発明の範囲は、以下の請求項及びその等価のものによって規定されて保護される。
【符号の説明】
【００２５】
３００  移動通信環境
３１０  移動通信デバイス
３１１  無線モジュール
３１２  制御モジュール
３２０  サービスネットワーク
３２１  アクセスネットワーク
３２２  コアネットワーク
【図１】
2014027694.tif 000003
【図２】
2014027694.tif 000004
【図３】
2014027694.tif 000005
【図４】
2014027694.tif 000006
【図５】
2014027694.tif 000007
【図６】
2014027694.tif 000008
【図７】
2014027694.tif 000009
【図８】
2014027694.tif 000010
【図９】
2014027694.tif 000011